【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
開閉弁とこの開閉弁を通過した水を放出する吐水口とを備えた水栓本体と、水を貯溜する非耐圧性の移動可能な貯水容器と、上記の水栓本体から突設され開閉弁と貯水容器とを連通してこの開閉弁を通過した水を上記の貯水容器内に供給し途中には分離可能な継手が設けられている給水通路と、上記の水栓本体から突設され貯水容器と上記の吐水口とを連通して上記の給水通路を介して上記の貯水容器内に供給される水の水圧によりこの貯水容器内の水を上記の吐水口に送り途中には分離可能な継手が設けられている吐水通路とを具備したことを特徴とする貯水装置。
【請求項２】
前記の吐水通路の途中には、前記の貯水容器から前記の吐水口に向かう方向の流れのみを許容する逆止弁が設けられていることを特徴とする請求項１の貯水装置。
【請求項３】
前記の水栓本体には、取付面に取付られる取付座面が形成されており、前記の給水通路および吐水通路はこの取付座面より後方側に突設されていることを特徴とする請求項１の貯水装置。
【請求項４】
前記の吐水通路の途中には、湯を供給する給湯通路が接続されていることを特徴とする請求項１の貯水装置。
【請求項５】
水の流通を開閉する開閉弁と、湯の流通を開閉する給湯開閉弁と、上記の開閉弁を通過した水と上記の給湯開閉弁とを混合して放出する吐水口とを備えた混合水栓本体を備え、この混合水栓本体から前記の給水通路と吐水通路とが突設されていることを特徴とする請求項４の貯水装置。
【請求項６】
前記の貯水容器は移動可能なものであり、また上記の給水通路および吐水通路の途中には分離可能な継手が設けられていることを特徴とする請求項４の貯水装置。
【請求項７】
前記の給湯通路との分岐接続部より上流側の吐水通路の途中には、前記の貯水容器から前記の吐水口に向かう方向の流れのみを許容する逆止弁が設けられていることを特徴とする請求項４の貯水装置。
【請求項８】
前記の混合水栓本体には、取付面に取付られる取付座面が形成されており、前記の給水通路および吐水通路はこの取付座面より後方側に突設されていることを特徴とする請求項５の貯水装置。
【手続補正２】
【補正対象書類名】明細書
【補正対象項目名】０００７
【補正方法】変更
【補正の内容】
【０００７】
【発明が解決しようとする課題】本発明は以上の事情に基づいてなされたもので、各戸等の水道設備の末端部において小容量の貯水が可能であり、また耐圧性の貯水容器を必要とせず、さらに貯水容器内の水が常時自動的に入れ替わって水質の低下を防止し、また構造が簡単で水栓本体を従来と同様に取付けることができるとともに、非常時には、給水通路および吐水通路の途中に設けられた継手を分離して、貯水容器を簡単に移動でき、低コストで実施することができる貯水装置を提供するものである。
【手続補正３】
【補正対象書類名】明細書
【補正対象項目名】０００８
【補正方法】変更
【補正の内容】
【０００８】
【課題を解決するための手段】請求項１に記載の本発明は、開閉弁とこの開閉弁を通過した水を放出する吐水口とを備えた水栓本体と、水を貯溜する非耐圧性の移動可能な貯水容器と、上記の水栓本体から突設され開閉弁と貯水容器とを連通してこの開閉弁を通過した水を上記の貯水容器内に供給し途中には分離可能な継手が設けられている給水通路と、上記の水栓本体から突設され貯水容器と上記の吐水口とを連通して上記の給水通路を介して上記の貯水容器内に供給される水の水圧によりこの貯水容器内の水を上記の吐水口に送り、途中には分離可能な継手が設けられている吐水通路とを具備したことを特徴とするものである。
【手続補正４】
【補正対象書類名】明細書
【補正対象項目名】０００９
【補正方法】変更
【補正の内容】
【０００９】
したがって、この開閉弁を開弁して水を使用する場合には、この開閉弁を通過した水は上記の貯水容器内を通過して吐水口から放出されるので、この貯水容器内の水が常時自動的に入れ替わり、その水質の低下がない。また、この貯水容器内は、上記の開閉弁を通過して吐水口に流れる水が通過するだけであるので、この貯水容器内には僅かの水圧しか作用せず、この貯水容器を耐圧性の容器とする必要はない。よって、この貯水容器は簡単な構造のものでよく、水栓本体を従来と同様に取付けることができるとともに、非常時に貯水容器を簡単に移動でき、また継手等も簡単なものでよいので、低いコストで製造することができる。
【手続補正５】
【補正対象書類名】明細書
【補正対象項目名】００１０
【補正方法】変更
【補正の内容】
【００１０】
削除
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、請求項２に記載の本発明は、前記の吐水通路の途中には、前記の貯水容器から前記の吐水口に向かう方向の流れのみを許容する逆止弁が設けられていることを特徴とするものである。したがって、万一この吐水口が水中に没していたような場合でも、この貯水容器内に逆流が生じることがない。
【手続補正８】
【補正対象書類名】明細書
【補正対象項目名】００１３
【補正方法】変更
【補正の内容】
【００１３】
また、請求項３に記載の本発明は、前記の水栓本体には、取付面に取付られる取付座面が形成されており、前記の給水通路および吐水通路はこの取付座面より後方側に突設されていることを特徴とするものである。したがって、この水栓本体を洗面台や壁面等に取り付けた場合に、給水通路や吐水通路等の配管がすべてこれら洗面台の下や壁面の背後に隠され、外観が向上するとともに、これらの配管等が邪魔になることがない。
【手続補正９】
【補正対象書類名】明細書
【補正対象項目名】００１４
【補正方法】変更
【補正の内容】
【００１４】
また、請求項４に記載の本発明は、前記の吐水通路の途中には、湯を供給する給湯通路が接続されていることを特徴とするものである。このものは、いわゆる湯水混合水栓であり、このような湯水混合水栓を使用するような場所でも、本発明の貯水装置を設置できる。
【手続補正１０】
【補正対象書類名】明細書
【補正対象項目名】００１５
【補正方法】変更
【補正の内容】
【００１５】
また、請求項５に記載のものは、水の流通を開閉する開閉弁と、湯の流通を開閉する給湯開閉弁と、上記の開閉弁を通過した水と上記の給湯開閉弁とを混合して放出する吐水口とを備えた混合水栓本体を備え、この混合水栓本体から前記の給水通路と吐水通路とが突設されていることを特徴とするものである。このような湯水混合水栓は、互いに分岐接続された水の通路と湯の通路を備え、これらの通路の長さが長いので、この通路の途中から上記の給水通路や吐水通路を分岐することにより、この湯水混合水栓の本体の大きさを従来のものとほぼ同じ程度の大きさにすることができ、従来の湯水混合水栓と同様に設置できる。
【手続補正１１】
【補正対象書類名】明細書
【補正対象項目名】００１６
【補正方法】変更
【補正の内容】
【００１６】
また、請求項６に記載の本発明は、前記の貯水容器は移動可能なものであり、また上記の給水通路および吐水通路の途中には分離可能な継手が設けられていることを特徴とするものである。したがって、断水の際等には、上記の継手を分離すればこの貯水容器を簡単に運搬でき、たとえば水洗トイレのシスターンに水を補給することも容易となる。
【手続補正１２】
【補正対象書類名】明細書
【補正対象項目名】００１７
【補正方法】変更
【補正の内容】
【００１７】
また、請求項７に記載の本発明は、前記の給湯通路との分岐接続部より上流側の吐水通路の途中には、前記の貯水容器から前記の吐水口に向かう方向の流れのみを許容する逆止弁が設けられていることを特徴とするものである。したがって、この吐水口、または給湯通路から貯水容器に逆流が生じるのを確実に防止することができる。
【手続補正１３】
【補正対象書類名】明細書
【補正対象項目名】００１８
【補正方法】変更
【補正の内容】
【００１８】
また、請求項８に記載の本発明は、前記の混合水栓本体には、取付面に取付られる取付座面が形成されており、前記の給水通路および吐水通路はこの取付座面より後方側に突設されていることを特徴とするものである。したがって、この混合水栓本体を洗面台や壁面等に取り付けた場合に、給水通路や吐水通路等の配管がすべてこれら洗面台の下や壁面の背後に隠され、外観が向上するとともに、これらの配管等が邪魔になることがない。
【手続補正１４】
【補正対象書類名】明細書
【補正対象項目名】００５３
【補正方法】変更
【補正の内容】
【００５３】
【発明の効果】上述の如く本発明は、開閉弁とこの開閉弁を通過した水を放出する吐水口とを備えた水栓本体と、水を貯溜する非耐圧性の移動可能な貯水容器と、上記水栓から突設され開閉弁と貯水容器とを連通してこの開閉弁を通過した水を上記の貯水容器内に供給し途中には分離可能な継手が設けられている給水通路と、上記水栓から突設され貯水容器と上記の吐水口とを連通して上記の給水通路を介して上記の貯水容器内に供給される水の水圧によりこの貯水容器内の水を上記の吐水口に送り途中には分離可能な継手が設けられている吐水通路とを備えたものである。
【手続補正１５】
【補正対象書類名】明細書
【補正対象項目名】００５４
【補正方法】変更
【補正の内容】
【００５４】
よって、この開閉弁を通過した水は上記の貯水容器内を通過して吐水口から放出されるので、この貯水容器内の水が常時自動的に入れ替わり、その水質の低下がない。また、この貯水容器内は、上記の開閉弁を通過して吐水口に流れる水が通過するだけであるので、この貯水容器内には僅かの水圧しか作用せず、この貯水容器を耐圧性の容器とする必要はない。よって、この貯水容器は簡単な構造のものでよく、また水栓本体を従来と同様に取付けることができるとともに、非常時には、給水通路および吐水通路の途中に設けられた継手を分離して、貯水容器を簡単に移動でき、継手等も簡単なものでよいので、低いコストで製造することができる等、その効果は大である。